(57)【要約】【課題】警報対象ガスの濃度状況をいつでも把握することができる警報器を提供する。【解決手段】警報器１は、ＣＯ濃度を検出するＣＯセンサと、ＣＯセンサの検出結果に基づいて異常を判断するマイコンと、マイコンにより異常が判断された場合に、警報を表示する警報表示部６と、ＣＯセンサにより検出されるＣＯ濃度を、ゼロ濃度から報知する濃度表示部９及びスピーカとを有している。【選択図】図１
2019219972.tif 000002
【特許請求の範囲】
【請求項１】
警報対象ガスの濃度を検出するガスセンサと、
前記ガスセンサの検出結果に基づいて異常を判断する制御部と、
前記制御部により異常が判断された場合に、警報を出力する警報部と、
前記ガスセンサにより検出される前記警報対象ガスの濃度を、ゼロ濃度から報知する濃度報知部と、
を有する警報器。
【請求項２】
前記制御部は、前記ガスセンサにより検出される前記警報対象ガスの濃度が前記ゼロ濃度よりも高い濃度に設定された警報濃度以上である場合に、異常を判断する
請求項１記載の警報器。
【請求項３】
前記濃度報知部は、前記ゼロ濃度以上前記警報濃度未満の濃度範囲を多段階に区分けした複数の濃度レベルに従って濃度の報知を行う
請求項２記載の警報器。
【請求項４】
前記濃度報知部は、前記濃度範囲の中で、濃度レベルに応じて表示範囲又は表示位置が変化するレベルゲージである請求項３記載の警報器。
【請求項５】
前記濃度報知部は、前記複数の濃度レベル毎にそれぞれ異なる態様で点灯する表示灯である
請求項３記載の警報器。
【請求項６】
前記警報部は、表示灯の点灯により警報を出力する警報表示部を含み、
前記警報表示部は、前記濃度報知部として流用され、前記ゼロ濃度以上前記警報濃度未満の濃度範囲を多段階に区分けした複数の濃度レベル毎にそれぞれ異なる態様で点灯することにより、前記警報対象ガスの濃度を表示する
請求項２記載の警報器。
【発明の詳細な説明】
【技術分野】
【０００１】
本発明は、警報器に関する。
【背景技術】
【０００２】
従来より、監視センサからの信号に基づいて監視領域内に異常な状態が発生していると判断した場合に警報を出力する警報器が知られている。警報の対象となる異常な状態としては、ガス漏れ、不完全燃焼等の一酸化炭素の高濃度状態等が挙げられる。警報器には、警報対象ガスの濃度を検出するガスセンサが搭載されている。
【０００３】
例えば特許文献１には、検出されたＣＯガスの濃度が所定の閾値を超えたと判定したときに、ＣＯ検出警報表示灯を点灯させる警報器が開示されている。ＣＯ検出警報表示灯を点灯させる際、ＣＯガスの濃度が低いときには、ＣＯ検出警報表示灯が点滅され、ＣＯガスの濃度が高いときには、ＣＯ検出警報表示灯が点灯される。また、この警報器では、ＣＯ検出警報表示灯の点灯と同時に、アラート表示部（４つのＬＥＤ）により不完全燃焼検出の表示が行われる。この際、ＣＯガス濃度に応じてアラート表示部の点滅タイミングが調整される。
【０００４】
なお、例えば特許文献２には、車両用空気清浄装置に関する発明として、検出部による一酸化炭素の濃度を表示する表示部を備えた構成が開示されている。この装置では、検出部により一酸化炭素の有無を検出し、一酸化炭素侵入なしの場合、表示部は消灯される。また、一酸化炭素の侵入有りと判別され、一酸化炭素濃度が１００ｐｐｍ以下の場合、表示部が点滅され、一酸化炭素濃度が１００ｐｐｍ以上の場合、表示部は点灯される。
【先行技術文献】
【特許文献】
【０００５】
【特許文献１】特開２００９−１６３６５７号公報
【特許文献２】特開平９−１１８１９８号公報
【発明の概要】
【発明が解決しようとする課題】
【０００６】
しかしながら、特許文献１に開示された手法によれば、センサにより検出される警報対象ガスの濃度が、警報が必要な警報濃度へと到達したことを条件に、警報と共に濃度表示が行われる。そのため、警報濃度へと到達するまでは、濃度の表示は行われず、どのような濃度状態にあるのかを把握することができないという不都合がある。
【０００７】
本発明はかかる事情に鑑みてなされたものであり、その目的は、警報対象ガスの濃度状況をいつでも把握することができる警報器を提供することである。
【課題を解決するための手段】
【０００８】
かかる課題を解決するために、本発明は、警報対象ガスの濃度を検出するガスセンサと、ガスセンサの検出結果に基づいて異常を判断する制御部と、制御部により異常が判断された場合に、警報を出力する警報部と、ガスセンサにより検出される警報対象ガスの濃度を、ゼロ濃度から報知する濃度報知部と、を有する警報器を提供する。
【０００９】
ここで、本発明において、制御部は、ガスセンサにより検出される警報対象ガスの濃度がゼロ濃度よりも高い濃度に設定された警報濃度以上である場合に、異常を判断することが好ましい。
【００１０】
また、本発明において、濃度報知部は、ゼロ濃度以上警報濃度未満の濃度範囲を多段階に区分けした複数の濃度レベルに従って濃度の報知を行うことが好ましい。
【００１１】
また、本発明において、濃度報知部は、濃度範囲の中で、濃度レベルに応じて表示範囲又は表示位置が変化するレベルゲージであることが好ましい。
【００１２】
また、本発明において、濃度報知部は、複数の濃度レベル毎にそれぞれ異なる態様で点灯する表示灯であることが好ましい。
【００１３】
また、本発明において、警報部は、表示灯の点灯により警報を出力する警報表示部を含み、警報表示部は、濃度報知部として流用され、ゼロ濃度以上警報濃度未満の濃度範囲を多段階に区分けした複数の濃度レベル毎にそれぞれ異なる態様で点灯することにより、警報対象ガスの濃度を表示することが好ましい。
【発明の効果】
【００１４】
本発明の警報器によれば、警報対象ガスの濃度状況をいつでも把握することができる。
【図面の簡単な説明】
【００１５】
【図１】本実施形態に係る警報器を模式的に示す正面図
【図２】図１に示す警報器の構成を示すブロック図
【図３】濃度表示部の表示態様を示す説明図
【図４】濃度表示部の表示態様を示す説明図
【図５】濃度表示部の表示態様を示す説明図
【図６】本実施形態に係る警報器の動作を説明するフローチャート
【図７】本実施形態に係る警報器の変形例を示す説明図
【図８】本実施形態に係る警報器の変形例を示す説明図
【発明を実施するための形態】
【００１６】
以下、本実施形態に係る警報器１について説明する。ここで、図１は、本実施形態に係る警報器１を模式的に示す正面図である。また、図２は、図１に示す警報器１の構成を示すブロック図である。警報器１は、ガスセンサの検出結果に基づいて異常を判断した場合に警報を出力するものである。
【００１７】
本実施形態に係る警報器１は、不完全燃焼等により発生する一酸化炭素の高濃度状態（異常な状態の一例）について警報を出力して、室内の換気を促す換気センサである。警報器１は、電池式の警報器であるが、コンセント式の警報器であってもよい。また、警報器１は、業務用の警報器であるが、家庭用の警報器であってもよい。
【００１８】
警報器１は、ＣＯセンサ２と、ＣＯセンサ２から検出信号が入力されるマイクロコンピュータ（以下「マイコン」という）３と、を備えている。また、警報器１は、通信部４と、操作スイッチ５と、警報表示部６と、スピーカ８と、濃度表示部９とをさらに備えている。ＣＯセンサ２、通信部４、操作スイッチ５、警報表示部６、スピーカ８及び濃度表示部９は、マイコン３と接続されている。
【００１９】
警報器１の筐体をなすケース本体１５の正面下部には、押圧操作部１６が設けられている。ケース本体１５内における押圧操作部１６の背後には、操作スイッチ５が設けられている。押圧操作部１６には、例えば「警報停止」といった文字が表記されている。押圧操作部１６は、ケース本体１５の板厚方向へと弾性変形可能に構成されており、弾性変形に伴って操作スイッチ５に対して当接可能となる。ケース本体１５の正面側から押圧操作部１６を押圧操作することで、その押圧時間に応じて、操作スイッチ５を所定の態様で操作することができる。
【００２０】
ケース本体１５において、正面視右側には、警報表示窓１７が設けられている。警報表示窓１７は、例えば、ケース本体１５の一部が縦長矩形状に切り抜かれた開口と、この開口に配設される透明又は半透明な板状のプレートとから構成されている。この警報表示窓１７を介して、警報表示部６の表示を視認することができる。
【００２１】
ケース本体１５において、正面中央には、複数のＣＯ表示窓１８が、上下方向に沿って直線的に配置されている。また、複数のＣＯ表示窓１８と隣接するように、複数のＣＯＨｂ表示窓１９が、上下方向に沿って直線的に配置されている。個々の表示窓１８，１９は、例えば、ケース本体１５の一部が四角形状に切り抜かれた開口と、この開口に配設される透明又は半透明な板状のプレートとから構成されている。複数のＣＯ表示窓１８及びＣＯＨｂ表示窓１９のうち、最も上方に位置するＣＯ表示窓１８及びＣＯＨｂ表示窓１９は、一つの表示窓１８（１９）として共用されている。このＣＯ表示窓１８及びＣＯＨｂ表示窓１９を介して、濃度表示部９の表示を視認することができる。
【００２２】
ＣＯセンサ２は、警報対象ガスである一酸化炭素の濃度（以下「ＣＯ濃度」という）を検出するセンサ（ガスセンサの一例）である。ＣＯセンサ２は、ＣＯ濃度を検出し、その濃度に応じた検出信号をマイコン３に出力する。ＣＯセンサ２としては、例えば接触燃焼式ガスセンサを用いることができるが、これ以外にも、半導体ガスセンサ等の周知のガスセンサを用いることもできる。
【００２３】
マイコン３は、警報器１の制御を司る制御部である。マイコン３は、ＣＰＵ３Ａと、ＲＯＭ３Ｂと、ＲＡＭ３Ｃとを主体に構成されている。ＣＰＵ３Ａは、予め定められたプログラムに従って各種の処理や制御等を実行する。ＲＯＭ３Ｂは、ＣＰＵ３Ａにて実行するプログラム等を格納した読み出し専用のメモリである。ＲＡＭ３Ｃは、各種のデータを格納すると共にＣＰＵ３Ａの処理作業に必要なエリアを有する読み出し書き込み自在のメモリである。
【００２４】
マイコン３には、ＣＯセンサ２の検出信号が入力されている。マイコン３は、ＣＯセンサ２の検出結果に基づいて、一酸化炭素の高濃度状態が発生しているか否かを判断する。
【００２５】
具体的には、マイコン３は、ＣＯセンサ２により検出されるＣＯ濃度が、警報濃度、例えば２０００ｐｐｍ以上であるか否かを判断する。ＣＯセンサ２により検出されるＣＯ濃度が２０００ｐｐｍ以上である場合、マイコン３は、一酸化炭素の高濃度状態が発生していると判断する。
【００２６】
また、マイコン３は、ＣＯセンサ２により検出されるＣＯ濃度に基づいて、血液中の一酸化炭素ヘモグロビン濃度（以下「ＣＯＨｂ濃度」という）を演算する。そして、マイコン３は、演算されたＣＯＨｂ濃度が、警報濃度、例えば２０％以上であるか否かを判断する。演算されたＣＯＨｂ濃度が２０％以上である場合、マイコン３は、一酸化炭素の高濃度状態が発生していると判断する。
【００２７】
マイコン３は、一酸化炭素の高濃度状態の発生を判断した場合に、警報表示部６及びスピーカ８を用いて警報を出力する。具体的には、マイコン３は、警報表示部６を制御し、警報表示部６を点灯させる。なお、点灯は、連続的な点灯のみならず、断続的な点灯である明滅も含むものとする（以下同じ）。これにより、一酸化炭素の高濃度状態についての警報が表示（出力）される。また、マイコン３は、スピーカ８を制御し、所定の警報音又は警報音声を出力させる。これにより、一酸化炭素の高濃度状態についての警報が音出力される。
【００２８】
加えて、マイコン３は、濃度表示部９及びスピーカ８を用いて、ＣＯセンサ２により検出されるＣＯ濃度を報知する。また、マイコン３は、濃度表示部９及びスピーカ８を用いて、ＣＯセンサ２の検出結果に基づいて演算されるＣＯＨｂ濃度を報知する。なお、濃度報知の詳細は後述する。
【００２９】
通信部４は、通信用のインターフェースであり、ＰＣと通信を行ったり、他の機器（警報器等）と連動するための通信を行ったりする。
【００３０】
操作スイッチ５は、ユーザが行った操作に応じた信号を出力するスイッチである。操作スイッチ５は、警報時においては警報を停止させる停止スイッチとして機能する。また、操作スイッチ５は、非警報時においては、例えば点検スイッチとして機能する。具体的には、警報が行われていないときに、操作スイッチ５が３秒未満で操作されると、警報器１は、単独点検を行う単独点検モードで動作する。また、警報器１が他の機器と連動している場合、操作スイッチ５が３秒以上６秒未満で操作されると、警報器１は、連動点検を行う連動点検モードで動作する。
【００３１】
警報表示部６は、警報を表示する表示灯であるＬＥＤ６ａを有している。ＬＥＤ６ａは、例えば黄色で発光するＬＥＤである。このＬＥＤ６ａは、例えば１秒毎に１回明滅するといった態様で点灯することで、警報を表示する。
【００３２】
また、警報表示部６は、故障、電池低下といった警報器１の状態を表示する表示灯であるＬＥＤ６ｂを有している。ＬＥＤ６ｂは、例えば緑色で発光するＬＥＤである。このＬＥＤ６ｂは、例えば１０秒毎に規定回数明滅するといった態様で点灯することで、警報器１の状態を表示する。
【００３３】
警報表示部６を構成する２つのＬＥＤ６ａ，６ｂは、警報表示窓１７の背後に、上下方向に沿って配置されている。具体的には、ＬＥＤ６ａは、警報表示窓１７の略中央に配置され、ＬＥＤ６ｂは、ＬＥＤ６ａの上方に配置されている。
【００３４】
スピーカ８は、スピーカ駆動部７を介してマイコン３に接続されており、マイコン３からの制御信号に応じて駆動信号が入力される。スピーカ８は、マイコン３からの制御信号（スピーカ駆動部７からの駆動信号）に応じた音又は音声を出力する。スピーカ８は、警報表示部６とともに警報を出力する警報部としての機能、及び、濃度表示部９とともにＣＯ濃度を報知する濃度報知部としての機能を担っている。
【００３５】
図３は、濃度表示部９の表示態様を示す説明図である。濃度表示部９は、６つのＬＥＤ１０ａ〜１０ｆを有し、ＣＯセンサ２により検出されるＣＯ濃度を表示する。６つのＬＥＤ１０ａ〜１０ｆは、ＣＯセンサ２により検出されるＣＯ濃度を、ゼロ濃度（０ｐｐｍ）から表示する機能を備えている。ＣＯセンサ２により検出されるＣＯ濃度はゼロ濃度以上となることから、６つのＬＥＤ１０ａ〜１０ｆは、ＣＯセンサ２によりＣＯ濃度が検出される期間に亘り、そのＣＯ濃度を永続的に表示することとなる。
【００３６】
６つのＬＥＤ１０ａ〜１０ｆは、ＣＯ表示窓１８の背後に、上下方向に沿って直線的に配列されている。６つのＬＥＤ１０ａ〜１０ｆは、最も下側に位置するＬＥＤ１０ａを基点として、その上側に位置するＬＥＤ１０ｂ〜１０ｆが順次点灯することにより、その表示範囲が変化する。６つのＬＥＤ１０ａ〜１０ｆは、表示範囲の変化を通じて、６つの濃度レベルでＣＯ濃度を表示するレベルゲージとして構成されている。
【００３７】
具体的には、最も下側に位置するＬＥＤ１０ａは、０ｐｐｍ以上のＣＯ濃度において点灯される。一つ上に位置するＬＥＤ１０ｂは、４００ｐｐｍ以上のＣＯ濃度において点灯される。ＬＥＤ１０ｃは、８００ｐｐｍ以上のＣＯ濃度において点灯され、ＬＥＤ１０ｄは、１２００ｐｐｍ以上のＣＯ濃度において点灯され、ＬＥＤ１０ｅは、１６００ｐｐｍ以上のＣＯ濃度において点灯される。ＬＥＤ１０ｆは、警報濃度以上、すなわち、２０００ｐｐｍ以上のＣＯ濃度において点灯される。
【００３８】
ＣＯセンサ２により検出されるＣＯ濃度が、例えば６００ｐｐｍであれば、下から２つのＬＥＤ１０ａ，１０ｂが点灯する状態となる（図３（ａ）参照）。そして、ＣＯセンサ２により検出されるＣＯ濃度が、例えば１４００ｐｐｍに変化すれば、下から４つのＬＥＤ１０ａ〜１０ｄが点灯する状態となる（図３（ｂ）参照）。このように、ＬＥＤ１０ａ〜１０ｆの表示範囲を通じて、ＣＯ濃度を表示することができる。
【００３９】
なお、図３に示す例では、６つのＬＥＤ１０ａ〜１０ｆの表示範囲を変化させ、これにより、ＣＯ濃度の濃度レベルを表示している。しかしながら、図４に示すように、６つのＬＥＤ１０ａ〜１０ｆの表示位置を変化させ、これにより、ＣＯ濃度の濃度レベルを表示してもよい。例えば、ＣＯセンサ２により検出されるＣＯ濃度が、例えば６００ｐｐｍであれば、下から２番目のＬＥＤ１０ｂのみが点灯する状態となる（図４（ａ）参照）。そして、ＣＯセンサ２により検出されるＣＯ濃度が、例えば１４００ｐｐｍに変化すれば、下から４番目のＬＥＤ１０ｄのみが点灯する状態となる（図４（ｂ）参照）。このように、６つのＬＥＤ１０ａ〜１０ｆの表示位置を通じて、ＣＯ濃度の濃度レベルを表示してもよい。
【００４０】
また、濃度表示部９は、６つのＬＥＤ１１ａ〜１１ｆを有し、ＣＯセンサ２の検出結果に基づくＣＯＨｂ濃度を表示する。この６つのＬＥＤ１１ａ〜１１ｆは、ＣＯＨｂ濃度を、ゼロ濃度（０％）から表示する機能を備えている。
【００４１】
６つのＬＥＤ１１ａ〜１１ｆは、ＣＯＨｂ表示窓１９の背後に、上下方向に沿って直線的に配列されている。すなわち、６つのＬＥＤ１１ａ〜１１ｆは、ＣＯ濃度を表示する６つのＬＥＤ１０ａ〜１０ｆと並列に設けられている。６つのＬＥＤ１１ａ〜１１ｆは、最も下側に位置するＬＥＤ１１ａを基点として、その上側に位置するＬＥＤ１１ｂ〜１１ｆが順次点灯することにより、その表示範囲が変化する。６つのＬＥＤ１１ａ〜１１ｆは、表示範囲の変化を通じて、６つの濃度レベルでＣＯＨｂ濃度を表示するレベルゲージとして構成されている。なお、最も上側に位置するＬＥＤ１１ｆは、ＣＯ濃度を表示するＬＥＤ１０ｆを流用することで、省略することもできる。
【００４２】
具体的には、最も下側に位置するＬＥＤ１１ａは、０％以上のＣＯＨｂ濃度において点灯される。一つ上に位置するＬＥＤ１１ｂは、４％ｐｐｍ以上のＣＯＨｂ濃度において点灯される。同様に、ＬＥＤ１１ｃは、８％以上のＣＯＨｂ濃度において点灯され、ＬＥＤ１１ｄは、１２％以上のＣＯＨｂ濃度において点灯され、ＬＥＤ１１ｅは、１６％以上のＣＯＨｂ濃度において点灯される。ＬＥＤ１１ｆは、警報濃度以上、すなわち、２０％以上のＣＯＨｂ濃度において点灯される。
【００４３】
ＣＯセンサ２の検出結果に基づいて演算されるＣＯＨｂ濃度が、例えば０％であれば、下から１番目のＬＥＤ１１ａが点灯する状態となる（図３（ａ）参照）。そして、ＣＯＨｂ濃度が、例えば６％に変化すれば、下から２つのＬＥＤ１１ａ，１１ｂが点灯する状態となる（図３（ｂ）参照）。このように、ＬＥＤ１１ａ〜１１ｆの表示範囲を通じて、ＣＯＨｂ濃度を表示することができる。
【００４４】
なお、図３に示す例では、６つのＬＥＤ１１ａ〜１１ｆの表示範囲を変化させ、これにより、ＣＯＨｂ濃度を表示している。しかしながら、図４に示すように、６つのＬＥＤ１１ａ〜１１ｆの表示位置を変化させ、これにより、ＣＯＨｂ濃度を表示してもよい。
【００４５】
図１に示すように、ケース本体１５において、ＣＯ表示窓１８の下方には、「ＣＯ濃度」といった文字が表記されている。同様に、ケース本体１５において、ＣＯＨｂ表示窓１９の下方には、「ＣＯＨｂ」といった文字が表記されている。この表記により、ＬＥＤ１０ａ〜１０ｆ，１１ａ〜１１ｆが表示する対象が何であるかを、ユーザが認識することができる。
【００４６】
なお、図５（ａ）に示すように、ＣＯ表示窓１８及びＣＯＨｂ表示窓１９の側方に、該当するＣＯ濃度及びＣＯＨｂ濃度を示す文字を表記してもよい。この表記により、ＬＥＤ１０ａ〜１０ｆ，１１ａ〜１１ｆが表示する濃度レベルについて、大凡の値をユーザに認識させることができる。
【００４７】
また、ＬＥＤ１０ａ〜１０ｆ，１１ａ〜１１ｆは、すべて同一の色としてもよいが、図５（ｂ）に示すように、紫、青、緑、黄、橙、赤といったように異なる色を採用してもよい。この場合、紫、青、緑、黄、橙、赤の順番でＬＥＤ１０ａ〜１０ｆを下側から配列すると、濃度が高くなるにつれ、青系の色から赤系の色へと表示が変化することとなる。これにより、色を通じて濃度レベルを認識することが可能となる。
【００４８】
以下、本実施形態に係る警報器１の動作について説明する。ここで、図６は、本実施形態に係る警報器１の動作を説明するフローチャートである。このフローチャートに示す処理は、ＣＯ濃度の検出周期に応じて呼び出され、マイコン３によって実行される。
【００４９】
まず、ステップＳ１において、マイコン３は、ＣＯセンサ２からの検出信号に基づいて、ＣＯセンサ２において検出されるＣＯ濃度（Ｘｐｐｍ）を取得する。
【００５０】
ステップＳ２において、マイコン３は、ＣＯ濃度が１００ｐｐｍ以上であるか否かを判断する。ＣＯ濃度が１００ｐｐｍよりも低い場合には、ステップＳ２において否定判定され、ステップＳ３に進む。一方、ＣＯ濃度が１００ｐｐｍ以上の場合には、ステップＳ２において肯定判定され、ステップＳ６に進む。
【００５１】
ステップＳ３において、マイコン３は、警報表示部６及びスピーカ８から警報が出力されている警報中であるか否かを判断する。警報中である場合には、ステップＳ３において肯定判定され、ステップＳ４に進む。一方、警報中でない場合には、ステップＳ３において否定判定され、ステップＳ５に進む。
【００５２】
ステップＳ４において、マイコン３は、警報を停止させる。
【００５３】
ステップＳ５において、マイコン３は、濃度報知を行う。具体的には、マイコン３は、ＣＯ濃度に基づいて、６つのＬＥＤ１０ａ〜１０ｆの中で、該当するＬＥＤ１０ａ〜１０ｆを点灯させる。また、マイコン３は、スピーカ８からＣＯ濃度を報知する音声を出力する。例えば「０ｐｐｍ以上のＣＯ濃度が検出されました」、「ＸｐｐｍのＣＯ濃度が検出されました」、「現在のＣＯ濃度上昇では換気が必要です」、「○○段階中、○○段階目のＣＯ濃度が検出されました」といった如くである。
【００５４】
ステップＳ６において、マイコン３は、警報中であるか否かを判断する。警報中である場合には、ステップＳ６において肯定判定され、本ルーチンを終了する（ＲＥＴＵＲＮ）。一方、警報中でない場合には、ステップＳ６において否定判定され、ステップＳ７に進む。
【００５５】
ステップＳ７において、マイコン３は、ＣＯ濃度が２０００ｐｐｍ以上であるか否かを判断する。ＣＯ濃度が２０００ｐｐｍ以上の場合には、ステップＳ７において肯定判定され、ステップＳ８に進む。一方、ＣＯ濃度が２０００ｐｐｍよりも低い場合には、ステップＳ７において否定判定され、ステップＳ１０に進む。
【００５６】
ステップＳ８において、マイコン３は、ＣＯセンサ２において検出されるＣＯ濃度が、２回連続で２０００ｐｐｍ以上であるか否かを判断する。ＣＯ濃度が２回連続で２０００ｐｐｍ以上である場合には、ステップＳ８において肯定判定され、ステップＳ９に進む。一方、ＣＯ濃度が２回連続で２０００ｐｐｍ以上でない場合には、ステップＳ８において否定判定され、ステップＳ１０に進む。
【００５７】
ステップＳ９において、マイコン３は、警報表示部６及びスピーカ８を用いて警報を出力する。
【００５８】
ステップＳ１０において、マイコン３は、演算処理を行う。具体的には、マイコン３は、以下に示す数式１，２に基づいて、パラメータＲ’を演算する。
（数式１）
ｋ＝ａ／ｙ
（数式２）
Ｒ’＝Ｒ＋ｋ
【００５９】
ここで、「ａ」は、現在のＣＯ濃度から計算される、ＣＯＨｂ濃度２０％到達時間である。「ｙ」は、ＣＯ濃度の検出間隔である。Ｒは、警報濃度であるＣＯＨｂ濃度２０％を基準として、現在のＣＯＨｂ濃度の到達率である。このＲは、ＣＯＨｂ濃度２０％で１となるパラメータであり、初期値は、例えばゼロである。
【００６０】
ステップＳ１１において、マイコン３は、パラメータＲ’が１以上であるか、すなわち、ＣＯＨｂ濃度が２０％以上であるか否かを判断する。パラメータＲ’が１以上である場合には、ステップＳ１１において肯定判定され、ステップＳ１２に進む。パラメータＲ’が１よりも小さい場合には、ステップＳ１１において否定判定され、ステップＳ１３に進む。
【００６１】
ステップＳ１２において、マイコン３は、警報表示部６及びスピーカ８を用いて警報を出力する。
【００６２】
ステップＳ１３において、マイコン３は、濃度報知を行う。具体的には、マイコン３は、ＣＯ濃度に基づいて、ＬＥＤ１０ａ〜１０ｆの中で、該当するＬＥＤ１０ａ〜１０ｆを点灯させる。また、マイコン３は、スピーカ８からＣＯ濃度を報知する音声を出力する。例えば「０ｐｐｍ以上のＣＯ濃度が検出されました」、「ＸｐｐｍのＣＯ濃度が検出されました」、「現在のＣＯ濃度上昇では換気が必要です」、「○○段階中、○○段階目のＣＯ濃度が検出されました」といった如くである。また、マイコン３は、パラメータＲ’からＣＯＨｂ濃度を演算すると、そのＣＯＨｂ濃度に基づいて、ＬＥＤ１１ａ〜１１ｆの中で、該当するＬＥＤ１１ａ〜１１ｆを点灯させる。また、マイコン３は、スピーカ８からＣＯＨｂ濃度を報知する音声を出力する。例えば「０％以上のＣＯＨｂ濃度が検出されました」、「○○％のＣＯＨｂ濃度が検出されました」、「現在のＣＯＨｂ濃度上昇では換気が必要です」、「○○段階中、○○段階目のＣＯＨｂ濃度が検出されました」といった如くである。
【００６３】
このように本実施形態において、警報器１は、ＣＯセンサ２により検出されるＣＯ濃度を、ゼロ濃度から報知する濃度表示部９及びスピーカ８を備えている。この構成によれば、ＣＯセンサ２により検出されるＣＯ濃度が常態的に表示されるので、ＣＯ濃度の状況をリアルタイムにいつでも把握することができる。
【００６４】
また、本実施形態において、マイコン３は、ＣＯセンサ２により検出されるＣＯ濃度がゼロ濃度よりも高い濃度に設定された警報濃度以上である場合に、異常を判断している。
【００６５】
警報が出力されれば、一酸化炭素の高濃度状態であることをユーザが認識することができる。一方で、本実施形態によれば、ゼロ濃度から高濃度状態のなかでＣＯ濃度の報知が行われるので、警報に至らない状況であってもＣＯ濃度を認識することができる。そのため、ＣＯ濃度の報知を頼りに、換気を行わないでいるとそのまま警報が出力されてしまうといったことを認識することができる。また、ユーザが換気を行うことでＣＯ濃度が減少する様子を認識することができるので、換気に対する積極的な行動を促すことができる。
【００６６】
また、本実施形態において、濃度表示部９及びスピーカ８は、ゼロ濃度以上警報濃度未満の濃度範囲を多段階に区分けした複数の濃度レベル（図３に示す例では５つの濃度レベル）に従って濃度の報知を行っている。特に本実施形態において、濃度表示部９は、ゼロ濃度以上警報濃度未満の濃度範囲の中で、濃度レベルに応じて表示範囲又は表示位置が変化するレベルゲージで構成されている。
【００６７】
この構成によれば、ゼロ濃度から警報濃度までのＣＯ濃度の全体像、及び、現在のＣＯ濃度がどのような位置付けにあるかを容易に認識することができる。これにより、換気を行わないでいるとそのまま警報が出力されてしまうことや、換気に伴いＣＯ濃度が減少する様子を認識することができる。
【００６８】
また、本実施形態では、濃度表示部９において濃度を表示するレベルゲージを、６つのＬＥＤ１０ａ〜１０ｆから構成している。ただし、ＬＥＤの個数は、濃度レベルの分解能に応じて、任意の個数を採用することができる。また、本実施形態では、濃度表示部９のレベルゲージをＬＥＤで構成しているが、レベルゲージの表示は液晶パネルを用いて行ってもよい。
【００６９】
また、濃度表示部９及びスピーカ８によるＣＯ濃度の報知は、ＣＯ濃度そのもの以外にも、本実施形態に示すＣＯＨｂ濃度といったように、ＣＯ濃度から演算される代替的な濃度であってもよい。なお、本実施形態では、ＣＯＨｂ濃度については、ＣＯ濃度が１００ｐｐｍ以上２０００ｐｐｍ未満の範囲においてＣＯＨｂ濃度の演算、報知を行っているが、０ｐｐｍ以上２０００ｐｐｍ未満の範囲においてもＣＯＨｂ濃度の演算、報知を行ってもよい。
【００７０】
また、現在のＣＯ濃度の他に、単位時間におけるＣＯ濃度の変化度合いといったように、ＣＯ濃度の変化率を報知してもよい。ＣＯ濃度の変化率の大小により、ＣＯ濃度が低い場合であっても換気の必要性をいち早く把握したり、換気が適切に行われてＣＯ濃度が素早く低下していることを把握したりすることができる。
【００７１】
図７は、本実施形態に係る警報器１の変形例を示す説明図である。この変形例に係る警報器１において、ケース本体１５の正面中央には、単一のＣＯ表示窓１８が設けられている。ＣＯ表示窓１８は、例えば、ケース本体１５の一部が四角形状に切り抜かれて形成された開口と、この開口に配設される透明又は半透明な板状のプレートとから構成されている。
【００７２】
濃度表示部９は、複数のＬＥＤ、例えば、３つのＬＥＤ１２ａ〜１２ｃを有し、ＣＯセンサ２により検出されるＣＯ濃度を表示する。３つのＬＥＤ１２ａ〜１２ｃは、ＣＯ表示窓１８の背後に配置されている。３つのＬＥＤ１２ａ〜１２ｃは、それぞれ異なる色に対応しており、例えば、青、橙、黄に対応している。
【００７３】
この濃度表示部９は、ゼロ濃度以上の濃度範囲を区分けした複数の濃度レベル毎にそれぞれ異なる色で点灯するＬＥＤ１２ａ〜１２ｃにより、ＣＯ濃度を表示する。具体的には、青色のＬＥＤ１２ａは、０ｐｐｍ以上、９９９ｐｐｍ以下のＣＯ濃度において点灯される。また、橙色のＬＥＤ１２ｂは、１０００ｐｐｍ以上、１９９９ｐｐｍ以下のＣＯ濃度において点灯される。同様に、黄色のＬＥＤ１２ｃは、２０００ｐｐｍ以上のＣＯ濃度において点灯される。
【００７４】
この構成によれば、３つのＬＥＤ１２ａ〜１２ｃは、複数の濃度レベル毎にそれぞれ異なる態様（色）で点灯する表示灯として機能する。したがって、ゼロ濃度から警報濃度までの中で、現在のＣＯ濃度がどのような位置付けにあるかを容易に認識することができる。これにより、換気を行わないでいるとそのまま警報が出力されてしまうことや、換気に伴いＣＯ濃度が減少する様子を認識することができる。
【００７５】
図８は、本実施形態に係る警報器１の変形例を示す説明図である。この変形例に係る警報器１は、濃度表示部９を独立した構成として備えておらず、警報表示部６のＬＥＤ６ａ，６ｂを流用するものである。
【００７６】
この濃度表示部９は、ゼロ濃度以上の濃度範囲を区分けした複数の濃度レベルにしたがって、濃度レベル毎にそれぞれ異なる色で点灯するＬＥＤ６ａ，６ｂにより、ＣＯ濃度を表示する。具体的には、０ｐｐｍ以上、９９９ｐｐｍ以下のＣＯ濃度においては、緑色のＬＥＤ６ｂが単独で点灯される。また、１０００ｐｐｍ以上、１９９９ｐｐｍ以下のＣＯ濃度においては、緑色のＬＥＤ６ｂと、黄色のＬＥＤ６ａとが同時に点灯される。一方、２０００ｐｐｍ以上のＣＯ濃度においては、黄色のＬＥＤ６ａが点灯される。
【００７７】
この構成によれば、２つのＬＥＤ６ａ，６ｂは、濃度表示部９として流用され、複数の濃度レベル毎にそれぞれ異なる態様（色、個数）で点灯する表示灯として機能する。したがって、ゼロ濃度から警報濃度までのＣＯ濃度の全体像、及び、現在のＣＯ濃度がどのような位置付けにあるかを容易に認識することができる。これにより、換気を行わないでいるとそのまま警報が出力されてしまうことや、換気に伴いＣＯ濃度が減少する様子を認識することができる。また、警報表示部６を濃度表示部９として流用することで、既存の構成をそのまま流用することができる。
【００７８】
以上、本実施形態に係る警報器について説明したが、本発明はこの実施形態に限定されることなく、その発明の範囲において種々の変更が可能であることは言うまでもない。
【００７９】
例えば、一酸化炭素の高濃度状態について警報する警報器について説明したが、ガス漏れ（例えば、メタンガス）を警報する警報器について適用してもよい。
【符号の説明】
【００８０】
１        警報器
２        ＣＯセンサ
３        マイコン
４        通信部
５        操作スイッチ
６        警報表示部
６ａ      ＬＥＤ
６ｂ      ＬＥＤ
７        スピーカ駆動部
８        スピーカ
９        濃度表示部
１０ａ〜１０ｆ    ＬＥＤ
１１ａ〜１１ｆ    ＬＥＤ
１２ａ〜１２ｃ    ＬＥＤ
１５      ケース本体
１６      押圧操作部
１７      警報表示窓
１８      ＣＯ表示窓
１９      ＣＯＨｂ表示窓
【図１】
2019219972.tif 000003
【図２】
2019219972.tif 000004
【図３】
2019219972.tif 000005
【図４】
2019219972.tif 000006
【図５】
2019219972.tif 000007
【図６】
2019219972.tif 000008
【図７】
2019219972.tif 000009
【図８】
2019219972.tif 000010